(57)【特許請求の範囲】
【請求項１】
第１の流路を規定する第１のノズル手段と、前記第１のノズル手段を外囲する第２の流路を規定する第２のノズル手段と、前記第１の流路に燃焼用ガスを供給する為の第１のガス供給手段と、前記第２の流路に燃焼用ガスを供給する為の第２のガス供給手段と、前記第１および前記第２の流路に空気を供給する為の空気流路とを備え、前記第２のノズル手段の外側から前記第２の流路内を貫通し前記第１の流路に至る構造を有すると共に前記第１のノズル手段の混合ガスを点火する点火手段を備えたバーナ装置であって、
前記第２の流路内に前記第１のノズル手段の外周壁から前記第２のノズル手段の外周壁に架設され互いに同形状である複数の第２の流路内配設部材を、前記第２の流路内において周方向で均等に配設して備え、
前記点火手段が、第２の流路内において前記第２の流路内配設部材の内部に包含されるバーナ装置。
【請求項２】
前記第２の流路の径方向の断面積に対して、前記第２の流路内配設部材の合計の断面積の割合が１０〜５０％である請求項１に記載のバーナ装置。
【請求項３】
前記第２の流路内に、前記第２の流路を径方向に仕切る少なくとも１つの筒体を備えた請求項１又は２に記載のバーナ装置。
【発明の詳細な説明】
【０００１】
【発明の属する技術分野】
本発明は、燃焼用ガスを燃焼する為のバーナ装置に関する。
【０００２】
【従来の技術】
地域発電、地域暖房などを行う為に、種々のコージェネレーションシステムが提案されている。このようなコージェネレーションシステムの代表的な１つのシステムは、燃焼ガスを燃焼する為のバーナ装置と、バーナ装置によって燃焼された燃焼ガスによって回転駆動されるガスタービンとを備え、ガスタービンの回転を利用して発電が行われる。
【０００３】
このようなガスタービンに用いられるバーナ装置は、第１のガス供給手段からの燃焼用ガスが供給され、第１の流路を規定する第１のノズル手段と、第２のガス供給手段からの燃焼用ガスが供給され、第１のノズル手段を外囲する第２の流路を規定する第２のノズル手段とを備えている。第１のノズル手段は第１の流路を規定し、第１の流路を流れる空気流に第１のガス供給手段からの燃焼用ガスが噴出され、これによって希薄混合ガスが生成される。又、第２の流路を流れる空気流に第２のガス供給手段からの燃焼用ガスが噴出され、これによって第１のノズル手段の希薄混合ガスよりもガス濃度の低い希薄混合ガスが生成される。このようなバーナ装置では、第１のノズル手段の混合ガスのガス濃度が第２のノズル手段の混合ガスのガス濃度よりも高いので、第１のノズル手段の混合ガスが燃焼され、そしてこの第１のノズル手段の燃焼ガスを利用して第２のノズル手段の混合ガスが燃焼される。燃焼ガスをこのように燃焼することができ、これによって窒素酸化物（ＮＯｘ）の発生を抑えた燃焼が可能となる。
【０００４】
【発明が解決しようとする課題】
しかしながら、上述したバーナ装置では、次の通り解決すべき問題が存在する。
このようなバーナ装置を起動させる為に、第１のノズル手段を流れる燃焼用ガスに火花等で着火する点火部材を第１の流路内に突出させる必要がある。
第１のノズル手段は、第２のノズル手段の内側にある為、点火部材の一部は、第２の流路内を通る必要があり、第２のノズル手段の混合ガスの流れはこの点火部材によって偏りを生じる。この偏りによって、第２のノズル手段の下流側の燃焼ガスの温度に偏りを生じ、燃焼ガスの最高温度と最低温度の差が大きくなる。一般に、バーナ装置からの燃焼ガスをガスタービンに送給する場合、送給される燃焼ガスの最高温度がガスタービンの耐熱温度を超えないようにする必要がある。それゆえに、上述したバーナ装置においては、燃焼ガスの最高温度をガスタービンの耐熱温度、例えば１２００℃以下に設定する必要があり、このようにしたとき、中心付近から離れた部位の燃焼ガスの燃焼温度が低くなる。その結果、ガスタービンに送給される燃焼ガスの平均温度が低くなり、バーナ装置を含むシステムの熱効率が悪くなり、高温部分が生じることで、ＮＯｘの発生の原因となっていた。
【０００５】
本発明の目的は、バーナ装置における燃焼の偏りを防止し、これによって燃焼ガスの平均温度を高め、更にはＮＯｘの発生を抑制することができるバーナ装置を提供することにある。
【０００６】
【課題を解決するための手段】
この目的を達成するための本発明に係るバーナ装置は、請求項１に記載されているように、第１の流路を規定する第１のノズル手段と、前記第１のノズル手段を外囲する第２の流路を規定する第２のノズル手段と、前記第１の流路に燃焼用ガスを供給する為の第１のガス供給手段と、前記第２の流路に燃焼用ガスを供給する為の第２のガス供給手段と、前記第１および前記第２の流路に空気を供給する為の空気流路とを備え、前記第２のノズル手段の外側から前記第２の流路内を貫通し前記第１の流路に至る構造を有すると共に前記第１のノズル手段の混合ガスを点火する点火手段を備えたバーナ装置であって、
前記第２の流路内に前記第１のノズル手段の外周壁から前記第２のノズル手段の外周壁に架設され互いに同形状である複数の第２の流路内配設部材を、前記第２の流路内において周方向で均等に配設して備え、
前記点火手段が、第２の流路内において前記第２の流路内配設部材の内部に包含される。
即ち、第２の流路内における複数の第２の流路内配設部材は、同形状であり、第１のノズル手段の外周壁に周方向等間隔に配設されており、この第２の流路内配設部材の１つの内部に点火手段を包含するように構成することによって、第２の流路内を流れる混合ガスの流れの偏りが無くなり、その混合ガスが燃焼した燃焼ガスは、第２のノズル手段の流れ方向に直角な断面においての温度分布の偏差が少なくなる。
よって、燃焼ガスの平均温度を高める燃焼ができ、更に最高温度によるＮＯｘの発生を抑制することができる。
【０００７】
又、上記のようなバーナ装置において、請求項２に記載されているように、前記第２の流路の径方向の断面積に対して、前記第２の流路内配設部材の合計の断面積の割合が１０〜５０％であることが好ましい。
即ち、第２の流路内配設部材の合計の断面積を第２の流路の断面積の１０％以上にすることで、点火手段を適当な大きさ（例えば市販品の大きさ）の範囲で構成することができ、５０％以下にすることによって、燃焼ガスの圧損も小さく構成することができる。
又、好ましくは、上記割合を１０〜３０％程度にすることが好ましく、第２の流路内配設部材の合計数量は４個程度が好ましい。
【０００８】
更に、上記のようなバーナ装置において、請求項３に記載されているように、前記第２の流路内に、前記第２の流路を径方向に仕切る少なくとも１つの筒体を備えることが好ましい。
この構成によると、第２の流路において、筒体によって、径方向に複数の流路を形成している。更に、上記の複数の流路は、内側ほど断面積が小さくなっており、結果、内側の流路ほど空気の流入量が少なくなっている。そして、第２のガス供給手段からの燃焼用ガスの噴出量が少ないとき、即ち、燃焼用ガス噴出速度が低いとき、第２のガス供給手段からの燃焼用ガスは空気流路を流れる空気流の作用を受けて空気流とともにガスの流れ方向下流側の上記複数の流路の内側の流路に流れ、第２のガス供給手段からの燃焼用ガスの噴出量が多いとき、即ち、燃焼用ガス噴出速度が高いとき、空気流路を流れる空気流に打ち勝って、燃焼用ガスが空気流とともに、上記の複数の流路の外側の流路に主として流れる。
このように、第２のガス供給手段からの燃焼用ガスの噴出量が少ないときに、燃焼用ガスは空気流入量が少ない内側の流路に主に流入するので、空気と燃焼用ガスの混合ガスの当量比（空気比の逆数）が燃焼可能範囲よりも過小になることが防止され、燃焼火炎は消炎することなく安定的に燃焼を続けることができる。又、第２の流路に噴出する燃焼用ガスの流入量の増減に連れて、燃焼用ガスの主として流入する流路が切り換わるので、各流路の断面積を燃焼用ガスの流入量に見合った空気供給量が選られるように設定すれば、混合ガスの当量比が適正に保たれる。これによって、上記の複数の流路の外側の流路に流入する燃焼用ガスの流量が少ないときでも、当量比は燃焼可能範囲よりも過小になることが防止されるので、この場合においても燃焼火炎の消炎が防止される。従って、燃焼用ガスの供給量に関わらず安定した燃焼状態で燃焼することができ、燃焼用ガスの不完全燃焼を防止することができる。
【０００９】
【発明の実施の形態】
以下、添付図面を参照して、本発明に従うバーナ装置の一実施形態について説明する。図１は、本発明に従うバーナ装置の一実施形態を簡略的に示す断面図であり、図２は、図１に示すバーナ装置の一部を拡大して示す断面図であり、図３は、図２におけるＩＩＩ−ＩＩＩ線による断面図である。
【００１０】
図１を参照して、図示のバーナ装置は、バーナテスト用ケースのディフューザ部２を備え、このディフューザ部２に円筒状のテストケース４が装着され、テストケース４は図１において右方に延びている。テストケース４内には燃焼ケース６が配設されている。燃焼ケース６は円筒状で、テストケース４に同心状に配設されている。燃焼ケース６の一端部（図１において左端部）はディフューザ部２に装着され、その他端部は図１において右方に延びている。ディフューザ部２には、また、空気流路８が形成され、この空気流路８を通して燃焼用空気が燃焼ケース６の一端部に供給される。この燃焼用空気は、例えば、コンプレッサ（図示せず）によって圧縮された状態にて送給される。
【００１１】
この実施形態では、燃焼ケース６の一端部内に第１のノズル手段１０、第２のノズル手段１２および燃焼筒１４が配設されている。図２をも参照して、ディフューザ部２の一部には取付支持ブロック１６が装着され、この取付支持ブロック１６に外ガス送給管１８の一端部が装着され、この外ガス送給管１８の他端部に噴射ノズル体２０が装着されている。噴射ノズル体２０は内部に空間２２が形成され、この内部空間２２を軸線方向に貫通して仕切スリーブ２４が装着され、この仕切スリーブ２４によって上記内部空間２２が内側の第１空間２２ａとこの第１空間２２ａの外側の第２空間２２ｂとに仕切られている。外ガス送給管１８の他端部は、噴射ノズル体２０の第２空間２２ｂに連通されている。又、外ガス送給管１８の内側には内ガス送給管２６が同心状に配設され、その一端部が取付支持ブロック１６に装着され、その他端部が噴射ノズル体２０に装着されている。この内ガス送給管２６は、噴射ノズル体２０の第１空間２２ａに連通されている。
【００１２】
内ガス送給管２６には、これに燃焼用ガスを供給する為の第１のガス供給手段が接続されている。第１のガス供給手段は、燃焼用ガスが蓄えられたガス供給源（図示せず）、ガス供給源から燃焼用ガスを導くガス送給管２８およびガス送給管２８を通して送給されるガスの流量を制御する流量制御手段、例えば流量制御弁（図示せず）を含み、ガス送給管２８が内ガス送給管２６に連通されている。又、外ガス供給管１８には、これに燃焼用ガスを供給する為の第２のガス供給手段が接続されている。第２のガス供給手段は、燃焼用ガスが蓄えられたガス供給源（図示せず）、ガス供給源から燃焼用ガスを導くガス送給管３０およびガス送給管３０を通して送給されるガスの流量を制御する流量制御手段、例えば流量制御弁（図示せず）を含み、ガス送給管３０が外ガス送給管１８に連通されている。なお、燃焼用ガスとしては、例えば、都市ガスを好都合に用いることができる。
【００１３】
第１のノズル手段１０は、噴射ノズル体２０の外側に装着されている。図示の第１のノズル手段１０は第１の円筒状部材３２から構成され、この第１の円筒状部材３２の一端部には周方向に間隔を置いて半径方向内方に突出する内突起３４が一体的に設けられ、複数個の内突起３４を介して第１の円筒状部材３２が噴射ノズル体２０に同心状に支持されている。このように構成されているので、第１の円筒状部材３２と噴射ノズル体２０との間には、周方向のほぼ全域に渡って環状の隙間が存在し、空気流路８からの空気はかかる隙間を通して第１の円筒状部材３２内に導かれる。
【００１４】
噴射ノズル体２０の先端部と第１の円筒状部材３２の一端部との間には、第１のスワラ３６が配設されている。第１のスワラ３６は、周方向に間隔を置いて配設された複数個のフィンから構成され、噴射ノズル体２０と第１の円筒状部材３２との隙間を通して流れる空気は、かかる第１のスワラ３６によって旋回流となり、旋回流の状態で第１の円筒状部材３２内を図１および図２において右方に流れる。第１のスワラ３６は第１の円筒状部材３２と一体的に形成してもよく、また別体に形成して両者の間に介在させてもよい。
【００１５】
第２のノズル手段１２は、第１のノズル手段１０の外側に装着されている。図示の第２のノズル手段１２は第２の円筒状部材３８から構成され、この第２の円筒状部材３８の一端部が第２のスワラ４０を介して第１の円筒状部材３２の外側にこれに同心状に装着されている。第２のスワラ４０は、周方向に間隔を置いて配設された複数個のフィンから構成され、第１の円筒状部材３２と第２の円筒状部材３８との間に導かれる空気は、かかる第２のスワラ４０の作用によって旋回流となり、旋回流の状態で第２の円筒状部材３８内を図１および図２において右方に流れる。この第２のスワラ４０は、第２の円筒状部材３８と一体的に形成してもよく、また別体に形成して第１および第２の円筒状部材３２，３８の間に介在させてもよい。
【００１６】
第２の円筒状部材３８の一端部には半径方向外方に突出する環状フランジ４２が一体的に設けられ、この環状フランジ４２の先端部に燃焼筒１４の一端部が取付ねじ４４によって取付けられている。燃焼筒１４は円筒状部材から構成され、第１および第２の円筒状部材３２，３８に同心状に配設され、この燃焼筒１４と燃焼ケース６との間にも環状の外空間が存在する。
【００１７】
この実施形態では、噴射ノズル体２０先端部には周方向に間隔を置いて複数個の第１噴出孔４６が形成され、これら第１噴射孔４６が噴射ノズル体２０の第１空間２２ａに連通している。又、噴射ノズル体２０の中間部には半径方向に延びる第２噴出孔４８が周方向に間隔を置いて形成され、これら第２噴出孔４８が噴射ノズル体２０の第２空間２２ｂに連通している。更に、第１円筒状部材３２の内突起３４には貫通孔５０が形成され、かかる貫通孔５０が対応する第２噴出孔４８に接続されている。
【００１８】
このように構成されているので、ガス送給管２８を通して供給される燃焼用ガスは、内ガス送給管２６を通して噴射ノズル体２０の第１空間２２ａに送給され、第１噴出孔４６を通して噴出される。第１のノズル手段１０は、図１および図２に示すとおり、第１の円筒状部材３２によって第１の流路４５を規定し、空気流路８を流れる空気の一部は噴射ノズル体２０と第１の円筒状部材３２との間を通して第１の流路４５に導かれ、第１噴出孔４６から噴出される燃焼用ガスは、第１のスワラ３６によって旋回流となって流れる空気流に向けて噴出され、旋回流の作用によって実質上均一に混合されて混合ガス（燃焼用ガスと空気との希薄混合ガス）となる。この第１の流路４５の混合ガスの空気比は、例えば１．４〜１．９程度に設定される。なお、第１のガス供給手段の流量制御手段（図示せず）を操作することによって、第１噴出孔４６から噴出される燃焼用ガスの噴出量を制御することができる。又、ガス送給管３０を通して供給される燃焼用ガスは、外ガス送給管１８を通して噴射ノズル体２０の第２空間２２ｂに送給され、第２噴出孔４８および第１の円筒状部材３２の貫通孔５０を通して第１の円筒状部材３２の外側に噴出される。第２のノズル手段１２は、図１および図２に示すとおり、第１の円筒状部材３２の外側に第２の円筒状部材３８によって環状の第２の流路４７を規定し、第２の流路４７内に、第２の流路を径方向に仕切る筒体５３を設けており、第２の流路４７における筒体の外側の流路５４と内側の流路５５を形成している。
空気流路８を流れる空気の残りの一部は第１の円筒状部材３２と第２の円筒状部材３８との間を通して第２の流路４７に導かれ、第２の流路４７の外側の流路５４と内側の流路５５に分かれて流れる。第２噴出孔４８から貫通孔５０を通して噴出される燃焼用ガスは、第２のスワラ４０によって旋回流となって流れる空気流に向けて噴出され、旋回流の作用によって実質上均一に混合されて混合ガス（燃焼用ガスと空気との希薄混合ガス）となる。外側の流路５４は内側の流路５５よりも径方向の断面積が大きいことより、外側の流路５４を流れる空気量は内側の流路５５を流れる空気量よりも多く、更に、貫通孔５０から噴出される燃焼用ガスの噴出量が少ないときは、燃焼用ガスは噴出速度が低いので主として内側の流路５５に混合ガスとなって流れ、貫通孔５０から噴出される燃焼用ガスの噴出量が多いときは、燃焼用ガスは噴出速度が高いので主として外側の流路５４に混合ガスとなって流れることで、燃料用ガスの供給量に関わらず、混合ガスの空気比はある程度一定に保たれることとなる。この第２の流路４７の混合ガスの空気比は、例えば２．０程度に設定される。
【００１９】
空気流路８を通して流れる空気の残部は燃焼筒１４と燃焼ケース６との間の空間５１を通して流れる。この実施形態では、燃焼筒１４には周方向および軸線方向に間隔を置いて複数個の空気孔５２が形成されており、空間５１を通して流れる空気はこれら空気孔５２を通して燃焼筒１４内に導入される。空気孔５２を通して導入される空気は燃焼筒１４の内周面に沿って流れる空気層を生成し、かかる空気層によって燃焼筒１４が冷却される。又、後述する如くして燃焼して燃焼筒１４内を流れる燃焼ガスの温度が異常に上昇しないように、必要に応じて、燃焼筒１４に稀釈孔（図示せず）を設けることができ、このように稀釈孔を設けた場合、空間５１を流れる空気が稀釈孔を通して燃焼筒１４内に導入され、導入した空気によって燃焼ガスの温度が低下される。
【００２０】
この実施形態では、図１に示すとおり、第１のノズル手段１０の先端部、即ち第１の円筒状部材３２の他端部と、第２のノズル手段１２の先端部、即ち第２の円筒状部材３８の他端部とは、実質上同じ位置又はほぼ同じ位置まで延びており、また燃焼筒１４の先端部は第１および第２のノズル手段１０，１２を越えてさらに図１において右方に延びている。従って、第１の流路４５の混合ガスによる燃焼火炎は第１の円筒状部材３２の内部もしくは先端部から図１において右方に生成され、また第２の流路４７の混合ガスによる燃焼火炎は第２の円筒状部材３８の先端部から図１において右方に発生し、これら燃焼火炎は燃焼筒１４内にて所要のとおりに燃焼される。
【００２１】
又、噴射ノズル体２０と第１の円筒状部材３２との隙間は、第１の円筒状部材３２と第２の円筒状部材３８との隙間よりも小さく設定されており、従って第１の流路４５に流入する空気は、第１の流路４５の入口部において絞られ、その後下流側において第１の流路の断面積が大きく増大するので、この第１の流路４５を流れる空気流の流速は比較的遅く、これに対して、第２の流路４７を流れる空気流の流速は比較的早くなる。
【００２２】
燃焼筒１４の先端部には、さらに筒状の導出筒６０が設けられている。導出筒６０は、図１において右方に延び、その先端部は先細に形成されており、燃焼筒１４から導出筒６０の一端部に導かれた燃焼ガスはこの導出筒６０内を流れてその先細先端部に集められて下流側に流れる。導出筒６０の先端側にはガスタービン６２が配設され、燃焼筒１４内で燃焼された燃焼ガスは導出筒６０を通してガスタービン６２に送給され、ガスタービン６２はバーナ装置からの燃焼ガスによって回転駆動される。なお、導出筒６０の先端部は、燃焼ケース６の先端部に装着された支持プレート６４によって支持されている。
【００２３】
この実施形態では、第２の流路４７の希薄混合ガスの一部が第１の流路４５の希薄混合ガスに混合されるように構成されている。図１および図２ともに図３を参照してさらに説明すると、この実施形態では、第１のノズル手段１０の第１の円筒状部材３２に混合ガス導入手段が設けられている。図示の第１の円筒状部材３２は、円筒状のノズル本体７２とこのノズル本体７２の先端部に装着される先端ノズル７４から構成され、ノズル本体７２の一端部（図１および図２において左端部）が噴射ノズル体２０に装着されている。ノズル体７２は一端部近傍から他端部まで実質上同じ内径であり、その一端部は半径方向外方に幾分湾曲されており、これによって空気流路８を流れる空気は、かかる湾曲一端部に案内されて噴射ノズル体２０とノズル本体７２との隙間に導かれる。先端ノズル７４は、内径が大きい大径部７６と内径が小さい小径部７８と、大径部７６および小径部７８を接続するテーパ部８０から構成され、テーパ部８０は半径方向内方に向けてテーパ状に延びている。この形態では、小径部７８の内径はノズル本体７２の内径と実質上等しく、大径部７６の内径は小径部７８およびノズル本体７２の内径よりも大きく設定されている。
【００２４】
この実施形態では、ノズル本体７２の他端部に先端ノズル７４の大径部７６が装着され、周方向に実質上等間隔の４個所を、４個のネジ８２によって固定されている。このように先端ノズル７４が装着されているので、ノズル本体７２の他端部外周面と先端ノズル７４の大径部７６の内周面との間に環状の導入開口８４が形成され、この導入開口３４が混合ガス導入手段として機能する。このように導入開口８４が設けられているので、第２の流路４７を流れる希薄混合ガスはこの導入開口８４を通して第１の流路４５に導入され、第１の流路４５を流れる希薄混合ガスに混合される。従って、第２の流路４７からの混合ガスによって第１の流路４５の混合ガスのガス濃度が薄められ、これによって第１の流路４５の混合ガスと第２の流路４７の混合ガスとのガス濃度の均一化が図られる。
【００２５】
更に、この形態では、第１の流路４５を流れる希薄混合ガスのガス濃度は第２の流路４７を流れる希薄混合ガスのガス濃度よりも濃くなるように設定されている。そして、このことに関連して、混合ガスを点火する為の点火手段５６は細長い点火部材５８を有し、その基部がテストケース４に装着され、その先端部が燃焼ケース６、燃焼筒１４、第２のノズル手段１２の外周壁である第２の円筒状部材３８および第１のノズル手段１０の外周壁である第１の円筒状部材３２を貫通して、第１の流路４５の外周面上に達している。点火部材５８の先端点火部は、第１の流路４５を流れる混合ガスに向けて火花を発生し、かかる火花によって第１の流路４５の混合ガスが点火燃焼される。そして、第１の流路４５にて発生した燃焼ガスの火炎が第２の流路４５を流れる混合ガスに伝播され、かかる火炎の伝播によって第２の流路４７の混合ガスが燃焼される。
【００２６】
又、図２をも参照し、第２の流路４７内において、第１の円筒状部材３２（第１のノズル手段１０の外周壁）から円筒状部材３８（第２のノズル手段１２の外周壁）に架けて設けられ、且つ第２の流路４７内の周面上の断面において翼形状の４つの第２の流路内配設部材５９を、第２の流路４７内において周方向で均等に装着し、それらの第２の流路内配設部材５９の１つの内部に点火部材５８（点火手段５６）を貫通させるように構成している。
このようなバーナ装置では、図３に示すように、ＩＩＩ−ＩＩＩ線における断面において、第２の流路４７の半径方向の断面積に対して、第２の流路内配設部材５９の合計の断面積が２０％程度に設定し、第２の流路内を流れる希薄混合ガスに対する圧損を小さくしている。
このように、第２の流路内配設部材５９を全て同形状にして、均等に配置し、その１つの内部に点火部材５８を貫通させることにより、第２の流路４７内において、混合ガスの流れに対して影響を与えるのは、この均等に備えられた第２の流路内配設部材のみとなり、第２の流路４７内を流れる混合ガスの流れの偏りが抑制され、第２の円筒状部材３８の先端部からの第２の流路４７の混合ガスによる燃焼火炎が偏ることを防ぎ、火炎の温度分布の偏りを抑制することができる。このことによって、燃焼ガスの平均温度を高め、更にはＮＯｘの発生を抑制することができるバーナ装置を実現することができる。
【００２７】
この実施形態では、また、点火手段５６の点火部材５８は、第１のノズル手段１０のノズル本体７２の他端部近傍、具体的には混合ガスの流れ方向に見て導入開口８４の上流側に配設される。このように構成することによって、第１の流路４５を流れる混合ガス、即ち第２の流路４７からの混合ガスが導入される前の比較的濃いガス濃度の混合ガスが点火部材５８の先端部に送給されるようになり、点火手段５６による点火性能が低下することが回避できる。
【００２８】
このようなバーナ装置では、第１の流路４５を流れる混合ガスに第２の流路４７を流れる混合ガスの一部が送給され、これによって点火手段５６の下流側にて第１の流路４５の混合ガスが第２の流路４７からの混合ガスによって薄められ、かくして第１の流路４５と第２の流路４７の混合ガスのガス濃度をほぼ均一化し、更に、第２の流路内に第２の流路内配設部材５９を周方向に均等に配置することで、燃焼ガスの燃焼温度を燃焼筒１４の半径方向断面のほぼ全域において実質上均一にすることができる。このように燃焼ガスの燃焼温度を平均化することによって、燃焼ガスをガスタービン６２に送給する場合、燃焼温度の平均値を増加することができ、バーナ装置を含むガスタービンシステムの効率の向上を図ることができる。
【００２９】
本発明のバーナ装置の効果を確認する為に、実施例として、図１〜図３に示す実施形態のバーナ装置を用いて燃焼ガスの燃焼実験を行った。
又、比較例として、本発明の特徴構成である第２の流路内配設部材５９を取り除いた状態においても燃焼実験を行った。
燃焼火炎の下流側における温度分布の偏差については、本発明に係るバーナ装置においては１５℃となり、温度分布の偏りが抑制されているのに比べ、第２の流路内配設部材を取り除いた比較例においては３５℃と温度分布が偏っていることが判る。
又、排出ＮＯｘ値においては、本発明に係るバーナ装置においては、１１ｐｐｍ（酸素０％換算）であったのに比べ、比較例においては、２１ｐｐｍ（酸素０％換算）となり、ＮＯｘの排出を抑制していることが判る。
【００３０】
〔別実施の形態〕
更に、上記の実施の形態において、第２の流路内配設部材５９を４つ備え、点火部材を包含しているものとともに、周方向に９０°間隔になるように配置したが、図４に示すように、第２の流路内配設部材の数を３つにすることもでき、この場合は、それぞれの間隔を１２０°にすることで可能である。更に、第２の流路内配設部材の数は、第２流路における圧損を抑える為には、２〜６個程度が好適であり、それぞれ、周方向に均等に配置することで本願の目的は達成される。
【００３１】
【発明の効果】
以上のことから、本発明に係るバーナ装置においては、燃焼火炎下流の温度分布の偏りを抑制することで、最高温度を低減することができ、更に、排出ＮＯｘ値も低減することができた。
【図面の簡単な説明】
【図１】本発明に係るバーナ装置の実施の形態を簡略的に示す断面図
【図２】図１のバーナ装置の要部を簡略的に示す拡大断面図
【図３】図２におけるＩＩＩ−ＩＩＩ線による断面図
【図４】第２の流路における第２の流路内配設部材が３つの場合の配設状態を示す断面図
【符号の説明】
８    空気流路
１０  第１のノズル手段
１２  第２のノズル手段
４５  第１の流路
４７  第２の流路
５６  点火手段
５８  点火部材
５９  第２の流路内配設部材
【図１】
0003894681.tif 000002
【図２】
0003894681.tif 000003
【図３】
0003894681.tif 000004
【図４】
0003894681.tif 000005